(57)【要約】公園や牧場、道路脇などの境界のために設置される組立式フェンスに関する。支柱１０の前後に備えられる凹入溝１２、１４に、互いに隣接する複数の組付け孔１６及び係合孔１８を、等間隔で設ける。支柱１０に網体２０を連結固定する連結具３０は、係合部３２と、これを介して互いに連なる、長い連結棒３４及び短い支持棒３６とを有する。係合部３２により網体２０に係合した状態で、連結棒３４は、支柱１０の組付け孔１６を貫き、また、支持棒３６が、組付け孔１６に隣接した係合孔１８に組み付けられる。この後、支柱の後方に突出した連結棒３４にナット３８を締結固定してフェンスＡを構成する。支柱１０の強度を補強し、また、連結具３０を用いた網体２０の組立作業を容易にし、フェンスＡの設置後、連結具３０の係合部３２や連結棒３４及びナット３８などが、支柱１０から大きく突出せずに、滑らかな外観を維持できる。【選択図】図２
2012526220.tif 000002
【特許請求の範囲】
【請求項１】
地面上に直立に固定される支柱の間に、複数の連結具を用いて網体を連結固定してなる組立式フェンスにおいて、
前記支柱（１０）には、長さ方向に沿って、互いに隣接する複数の組付け孔（１６）及び係合孔（１８）が、等間隔で形成されるようにし、
各連結具（３０）は、
網体（２０）との係合のための係合部（３２）と、
支柱（１０）の組付け孔（１６）を貫通する長い連結棒（３４）と、
係合部（３２）を介して連結棒（３４）に連なり、組付け孔（１６）に隣接した係合孔（１８）に組み付けられる短い支持棒（３６）とからなり、
支柱（１０）を貫通する連結棒（３４）の螺旋部（３４ａ）にナット（３８）を締結して、支柱に固定するように構成されたことを特徴とする組立式フェンス。
【請求項２】
前記支柱（１０）の前面に、長さ方向に沿って凹入溝（１２）を設け、
凹入溝（１２）が有する凹入面に、組付け孔（１６）及び係合孔（１８）を設けたことを特徴とする請求項１に記載の組立式フェンス。
【請求項３】
前記網体（２０）には、ワイヤロープ（２０ａ）、有刺鉄線（２０ｂ）、メタルラス金網（２０ｃ）、撚線金網（２０ｄ）、溶接金網、及び、プラスチック網のうちの一つ以上を選択して用いたことを特徴とする請求項１に記載の組立式フェンス。
【発明の詳細な説明】
【技術分野】
【０００１】
本発明は、公園や各種保護区域及び牧場などの境界を表示したり、又は、道端に安全確保のために設置される、組立式フェンスに関するものである。
【背景技術】
【０００２】
各種区域の境界を表示したり、又は、道端に安全確保のために設置されるフェンスは、地面に、等間隔に垂直に固定される支柱と、支柱間に連結具を用いて緊張感を持たせて連結形成される網体とで構成される。現在まで、フェンスを構成する支柱としては、ほとんど円筒形のパイプが利用されている。また、網体としてはワイヤロープや有刺鉄線及び金網などが利用され、網体を支柱に連結固定する連結具としては、網体の種類に応じて連結片及びボルトとナットからなる連結具、または両端部に螺旋部を有するＵボルトなどが利用されている。
【０００３】
したがって、フェンスの具体的な使用用途に応じて、支柱に様々な種類の網体を組み付けて設けることができる。しかし、支柱として円筒形のパイプが用いられる場合、所望の強度を得るためには、造管作業時に厚い鉄板を使用しなければならないので、製造原価の上昇をもたらし、また、重量が大きいことから物流費用の上昇をもたらすことになる。
【０００４】
また、利用される網体の種類に応じて、網体を支柱に連結固定する連結具として様々な種類が利用される。利用される各連結具は、連結片及びボルトとナットからなるものであったり、または、２つのナットを必要とするＵボルトなどであって、構造が複雑であるため製造原価の上昇をもたらすだけでなく、組立作業時に多くの時間を必要とするため作業能率の低下をもたらすことになる。
【０００５】
また、連結具を利用して網体を支柱に連結固定する際には、網体に緊張を与えることができず、作業過程で他の作業者または器具の力を借りて網体にいちいち緊張を与えなければならない。そのため、作業が非常に難しく、労力を要する。
【０００６】
さらに、連結具を利用して網体を支柱に連結固定する際、網体との係合のための係合部及び螺旋部とナットなどが支柱の外側に大きく突出するため、外観が美麗でないだけでなく、その周囲を通る作業者や動物に、大きな傷を負わせる恐れがあるなどの多くの問題点がある。
【先行技術文献】
【特許文献】
【０００７】
【特許文献１】韓国実用新案出願公開20-1983-0001795
【特許文献２】韓国登録実用新案20-0266038
【特許文献３】特開昭51-124034
【特許文献４】韓国実用新案公告20-1988-0000263
【発明の概要】
【発明が解決しようとする課題】
【０００８】
本発明は、次のような組立式フェンスを提供することにその目的がある。支柱の製造原価を節減し且つ軽量化しながら、所望の強度を有するようにすることができる。網体の種類に関係なく、統一された連結具を用いて網体を支柱に簡単に堅固に連結固定することができるのはもとより、組立作業の過程で特別な努力なしでも網体に緊張感を与えることができる。また、網体を支柱に連結固定する際、その係合部またはボルトとナットなどが、支柱から大きく突出する恐れがないので、美麗な外観を有しながらも事故を防止することができる。
【課題を解決するための手段】
【０００９】
本発明の目的は、支柱の前後に長さ方向に沿って凹入形成される凹入溝に、それぞれ互いに隣接する複数の組付け孔及び係合孔が形成されるようにし、また、支柱に網体を連結固定する連結具は、網体の係合のための係合部を介して長い連結棒と短い支持棒が並んで形成されるようにして、支柱に結合した後、支柱の後方に突出した連結棒の螺旋部にナットを締結して固定するように構成される組立式フェンスによって達成される。
【発明の効果】
【００１０】
本発明に利用される支柱１０は、前後に、長さ方向に沿って凹入形成される凹入溝１２、１４によって強度が強化される。そのため、造管作業時にその分だけ厚さの薄い金属板材を用いても所望の強度を得ることができることから、支柱１０の製造原価を低下させることができ、また、軽量化に伴い物流費用を節減することができるようになる。
【００１１】
また、網体２０を支柱１０に連結固定する連結具３０は、係合部３２により網体２０に係合させてから、その連結棒３４及び支持棒３６をそれぞれ支柱１０の組付け孔１６及び係合孔１８に組み付けて、支柱１０の後方に突出した連結棒３４にナット３８を締結固定すれば良い。そのため、連結具３０を利用した網体２０の組立作業が、網体２０の種類（ワイヤロープ２０ａや有刺鉄線２０ｂ、メタルラス金網２０ｃ及び撚線金網２０ｄなど）に関係なく、迅速かつ容易に行うことができる。また、網体２０を連結する係合部３２により支柱１０に組み付けられる連結棒３４と支持棒３６によって、網体２０を支柱１０により堅固に連結固定することができるようになる。
【００１２】
特に、連結具３０を用いて網体２０を支柱１０に連結固定する際、その網体２０は支柱１０が持つ凹入溝１２の深さだけ引っ張られて、ぴんと張った緊張が与えられることになるので、網体２０の緊張感を与えるための別途の作業を必要とせず、作業能率はより向上する。また、連結具３０と網体２０の係合部位はもとより、支柱１０の後方に突出した連結棒の螺旋部３４ａ及びナット３８は、支柱１０の外側に大きく突出する恐れがない。そのため、滑らかで小ぎれいな外観を維持することができるだけでなく、その周囲を通る作業者や動物の事故を防止することができるなど、多くの効果がある。
【図面の簡単な説明】
【００１３】
【図１】本発明の正面構成図である。
【図２】本発明の一部分解斜視図である。
【図３】本発明の要部平断面構成図である。
【図４】本発明の要部側断面構成図である。
【図５】本発明の分解時の要部側断面構成図である。
【図６】本発明に利用される支柱の斜視図である。
【図７】本発明に利用される他の実施例を示す斜視図である。
【図８】本発明の他の実施例の一部分解斜視図である。
【図９】本発明のさらにの実施例の一部分解斜視図である。
【図１０】本発明のさらに他の実施例の正面構成図である。
【図１１】本発明のさらに他の実施例の一部分解斜視図である。
【図１２】本発明のさらに他の実施例の一部分解斜視図である。
【発明を実施するための形態】
【００１４】
以下、本発明の好ましい実施例を添付の図面に基づいて詳細に説明する。ただし、図面中に同一の構成要素には可能なかぎり同一の図面符号を付し、関連した公知技術や機能に対する具体的な説明は、本発明の要旨が曖昧になることを避けるために省略することにする。
【００１５】
図１は、本発明の正面構成図で、図２は、本発明の一部分解斜視図である。本発明のフェンスＡは、地面に等間隔で垂直に固定される支柱１０と、支柱１０の前面または後面に形成される網体２０と、網体２０を支柱１０に連結固定する連結具３０とで構成される。
【００１６】
図６は、本発明に利用される支柱の斜視図である。本発明に利用される支柱１０は、上下に長い円筒形であって、その前後面には、長さ方向に沿って凹入溝１２、１４が形成されている。また、前後の凹入溝１２、１４の凹入面には、それぞれ互いに隣接する複数の組付け孔１６及び係合孔１８が、上下に等間隔を維持するように貫通形成される。
【００１７】
ただし、本発明に利用される支柱１０は、図７におけるように、四角筒状としてもよい。そして、四角筒状の前後面に長さ方向に沿って凹入溝１２、１４が形成されるようにし、また、前後凹入溝１２、１４の凹入面に、それぞれ互いに隣接する複数の組付け孔１６及び係合孔１８を形成するようにしてもよい。
【００１８】
さらに、支柱１０が有する凹入溝は、必ずしも前後に形成しなくても良い。網体２０が連結される前方にのみ凹入溝１２を形成しても、強度の補強と、網体２０の連結の際に網体２０に緊張感を与えることができるようになる。
【００１９】
一方、本発明に用いられる網体２０には、ワイヤロープ２０ａや有刺鉄線２０ｂなどのように、単線からなるものはもとより、メタルラス金網２０ｃ、撚線金網２０ｄ、溶接金網及びプラスチック網などのように、それ自体が網目を有するものなど、いずれも含まれる。ワイヤロープ２０ａや有刺鉄線２０ｂなどのように単線からなる場合は、支柱１０に複数本が連結形成される際、複数本が組み合わさって網体２０を構成することに留意すべきである。
【００２０】
また、網体２０を支柱１０に連結固定する連結具３０は、係合部３２を介して、螺旋部３４ａを有する連結棒３４と、短い支持棒３６とが並んで形成されたものである。この連結棒３４は、支柱１０が有する組付け孔１６を貫通し、また、支持棒３６は、組付け孔１６に隣接した係合孔１８に組み付けられる。このようにしてから、支柱１０の後方に突出した連結棒３４の螺旋部３４ａに、ナット３８を締結して、連結固定する。連結具３０は、このように構成される。
【００２１】
本発明のフェンスは、基礎コンクリートまたは支柱の下端に溶接固定される支持板などを用いて、支柱１０を地面に等間隔で垂直固定した後、支柱１０の前面または後面に、連結具３０を用いて網体２０を連結固定すると、フェンスＡとしての機能を発揮することになる。
【００２２】
ここで、支柱１０には、その前後に、長さ方向に沿って凹入溝１２、１４が形成されるので、凹入溝１２、１４を形成する折曲部によって強度が強化される。これにより、造管作業時に利用される金属板材の厚さを減少させることができることから、支柱１０の製造原価を節減し、また軽量化することができるようになる。
【００２３】
また、網体２０を支柱１０に連結固定する各連結具３０は、係合部３２を間に挟むようにして、螺旋部３４ａを有する長い連結棒３４と、短い支持棒３６とが並んで形成されたものであり、一つのナット３８を用いて支柱１０に連結固定される。したがって、構成が簡単であるので、連結具３０の製造原価を節減することができ、また、網体２０の組付け作業を迅速で容易に行うことができるようになる。
【００２４】
また、網体２０は、連結具３０が有する係合部３２に係合される。そのため、ワイヤロープ２０ａや有刺鉄線２０ｂなどのように、単線からなるものはもとより、メタルラス金網２０ｃ、撚り金網２０ｄ、溶接金網、及び、プラスチック網などのように、それ自体が網目を有するものまでも、簡単に連結固定することができる。また、網体２０が連結具３０の係合部３２に係合されるようにした状態で、その連結棒３４及び支持棒３６を支柱１０が有する組付け孔１６及び係合孔１８に組み付ける。この後、連結棒３４が有する螺旋部（ネジ切り部）３４ａによりナット３８を締結固定すると、網体２０が、支柱１０または連結具３０から分離される恐れなしに強固に連結固定される。
【００２５】
また、本発明によると、利用可能な網体２０の種類が多様であり、また、網体２０の種類に関係なく、連結具３０を利用して支柱１０に簡単に連結固定することができるようになる。そのため、公園などに設置される場合は、図１におけるように、支柱１０に複数本のワイヤロープ２０ａを連結して網体２０を構成すると、滑らかで美麗な外観を維持することができるようになる。牧場などの柵用として設置される場合は、図８におけるように、支柱１０に複数本の有刺鉄線２０ｂを連結して網体２０を構成すれば良い。一方、道路脇に動物保護用として設置される場合は、図９乃至図１２におけるように、支柱１０の下部には網目が小さい、メタルラス金網２０ｃや撚線金網２０ｄなどを連結形成し、また、上部にはワイヤロープ２０ａを連結形成すると、動物はもちろん、カエルやへび等の侵入までも防止しつつ、視野を確保することができるようになる。
【００２６】
さらには、連結具３０を用いて網体２０を支柱１０に連結固定する際、その連結具３０が有する係合部３２が、支柱１０が持つ凹入溝１２に進入することになると、網体２０には、引張力が与えられて、自然に緊張が与えられる。そのため、フェンスＡの設置の際、網体２０に緊張を与えるための、別途の作業を必要とせず、作業をより容易に行なえるようになる。
【００２７】
また、ここで、網体２０との係合のための連結具３０の係合部３２と、支柱１０の後方に突出した連結棒３４の螺旋部３４ａ及びナット３８などは、支柱１０が有する凹入溝１２、１４内に位置することになる。そのため、滑らかで美麗な外観を維持できるのはもとより、その周囲を通る作業者や動物がぶつかる場合、安全を守ることができるようになる。
【００２８】
ただし、網体２０として、メタルラス金網２０ｃ及び撚線金網２０ｄなどが利用される場合、連結具３０を用いた連結過程において網体２０に全体的に緊張感を与えるためには、その分だけ連結具３０間の間隔を狭くすることが望ましい。他方、連結具３０の利用個数を減らす代替図１２におけるように、支柱１０の凹入溝１２、１４に挿入され得る幅を有する長い加圧片４０に、支柱１０の組付け孔１６及び係合孔１８と同一の間隔の通孔を設けておく。連結具３０が、加圧片４０と網体２０及び支柱１０を順に通過するようにして、ナットを締め付けると、加圧片４０が、支柱１０が有する凹入溝１２の中へと進入して行き、この際に、網体２０に全体的な緊張を与えることができるようになる。
【符号の説明】
【００２９】
１０…支柱；            １２、１４…凹入溝；        １６…組付け孔；    
１８…係合孔；          ２０…網体；                ２０ａ…ワイヤロープ；  
２０ｂ…有刺鉄線；      ２０ｃ…メタルラス金網；    ２０ｄ…撚線金網；    
３０…連結具；          ３２…係合部；              ３４…連結棒；      
３４ａ…螺旋部；        ３６…支持棒；              ３８…ナット
【図１】
2012526220.tif 000003
【図２】
2012526220.tif 000004
【図３】
2012526220.tif 000005
【図４】
2012526220.tif 000006
【図５】
2012526220.tif 000007
【図６】
2012526220.tif 000008
【図７】
2012526220.tif 000009
【図８】
2012526220.tif 000010
【図９】
2012526220.tif 000011
【図１０】
2012526220.tif 000012
【図１１】
2012526220.tif 000013
【図１２】
2012526220.tif 000014
【国際調査報告】
2012526220.tif 000015
2012526220.tif 000016
2012526220.tif 000017
2012526220.tif 000018